(57)【特許請求の範囲】
【請求項１】
被梱包物の背面側に、前記被梱包物の据付け設置時に使用する据付け部材を収納した付属箱を配置し、前記被梱包物と前記付属箱の両端を緩衝材で保持して外装箱に収納される包装装置において、前記付属箱の開口穴から前記据付け部材の固定部を前記付属箱の外装面に突出させ、前記固定部を前記被梱包物の据付け部材固定部に取付けたことを特徴とする包装装置。
【請求項２】
複数の据付け板を、緩衝材を介して付属箱に重ねて収納した請求項１記載の包装装置。
【発明の詳細な説明】
【０００１】
【発明の属する技術分野】
本発明は、空気調和機等の被梱包物の梱包に使用する包装装置に関するものである。
【０００２】
【従来の技術】
従来の包装装置では、図６、図７に示すように空気調和機等の被梱包物１に付属される据付け板等の付属部品６を付属箱２に収納しテープにて封かんを行ない被梱包物１である分離型空気調和機の室内ユニットの底面に付属箱２を配置し、付属箱２を被梱包物１とともに両側面を緩衝材３で当てがうことで位置決めし、筒状の外装箱４に収納して、樹脂製の結束バンド５にて結束することにより梱包が完了するものである。
【０００３】
【発明が解決しようとする課題】
上記従来の包装装置では、被梱包物１に付属される部品の収納箱２の大きさは付属部品６の形状や大きさからその収納容積が決定されるものである。
【０００４】
その付属箱２には様々な種類の付属部品６が一緒に収納されており輸送中の振動等により付属箱２内で付属部品６が移動し重なり合った場合に付属部品６に負荷がかかり変形を起こす恐れがある。
【０００５】
これを防ぐために付属部品６をテープで付属箱２や他の付属部品６に貼り付け固定を行っているが、収納作業に時間がかかるだけでなく材料コスト、組み立てコストを増加させている。
【０００６】
また、付属箱２は被梱包物１の底面に配置しており輸送中に誤って落下された場合にはその衝撃により付属箱２が潰れ、付属部品６を変形させる恐れがあり、その変形を防止するためには付属箱２の強度向上及び部品同士が干渉し合わない様に十分なスペースを確保する必要があり、これにより付属箱２の容積が増え包装全体の才数が増し輸送、保管時の効率を低下させていた。
【０００７】
被梱包物１の包装作業時においても緩衝材３にて被梱包物１と付属箱２を同時に位置決め固定しているため、位置ずれが起き易く外装箱４への挿入作業および開梱時の取り出しに時間を要するものとなっていた。
【０００８】
本発明はこのような従来の課題を解決するものであり、材料コストを増加させることなく被梱包物と付属部品をより保護し、かつ包装作業が簡単で物流時の保管効率、輸送効率を向上させる包装装置を提供することを目的とする。
【０００９】
【課題を解決するための手段】
上記課題を解決するため本発明は、付属箱の封かんフラップに穴を形成し被梱包物の据え付け時に使用する据付け板側の固定部を付属箱の封かんフラップから上面側に突出させることにより、被梱包物の背面の空間部にある固定ツメに取り付け、被梱包物と付属箱を位置決め固定することができるものである。
【００１０】
【発明の実施の形態】
本発明は、付属箱の封かんフラップに穴を形成し被梱包物の据付け時に使用する据付け板側の固定部を付属箱の封かんフラップから上面側に突出させることにより、被梱包物の背面の空間部にある固定ツメに取り付けることができ被梱包物と付属箱との固定を確実にし包装箱への挿入および開梱時の作業容易化と包装効率の向上を図ることができる包装装置である。
【００１１】
また本発明は、複数の据付け板を、緩衝材を介して付属箱に重ねて収納したことで重なって収納される据付け板の間に空間部が形成され、付属部品の移動、重なりによる変形、破損の防止と被梱包物と付属部品に加わる衝撃を空間部にて緩和することができ保護性の向上を図ることができる。
【００１２】
以下本発明の実施例について図面を参照して説明する。
【００１３】
（実施の形態１）
本実施の形態１において分離型空気調和機の室内ユニットなどの被梱包物に付属される据付け板等の付属部品用付属箱は、図２に示すように底板７に四側面板８ａ〜８ｄを連設しており側面板８ａ、８ｂには封かんフラップ９，１０を連設し、開口穴１１ａ〜１１ｄをそれぞれ形成している。また、残る二つの側面板８ｃ、８ｄは封かんフラップ９、１０を支持している。
【００１４】
このように形成される付属箱２０は、図１に示すように封かん時に、据付け板１２ａの固定部１３ａ、１３ｂが、封かんフラップ９、１０に形成した開口穴１１ａ〜１１ｄを介して付属箱２０の外装面から突出している。
【００１５】
図３に示すように、付属箱２０には付属部品となる複数の据付け板１２ａ〜１２ｃが収納され、被梱包物２１の背面側に重ね合わせられる。
【００１６】
付属箱２０に収納される据付け板１２ａ〜１２ｃのうち、据付け板１２ａの固定部１３ａ、１３ｂを、被梱包物２１の背面側の空間部１４にある固定ツメ１５ａ、１５ｂに取り付けることで被梱包物１と付属箱が位置決め固定される。
【００１７】
このことにより被梱包物２１と付属箱２０が一体で扱うことが可能となり、包装作業が容易に行え、かつ被梱包物２１の背面側の空間部１４を有効の活用しており包装全体の容積が小さく効率の良い包装が行える。
【００１８】
（実施の形態２）
また、図４、図５に示すように付属部品となる据付け板１２ａ〜１２ｃそれぞれは付属箱２０内の上下に重ねて配置し、上下の据付け板の間に板紙１８と発泡スチロール等の緩衝体１７で構成された緩衝材１６を配置することで据付け板１２ａと据付け板１２ｂ、１２ｃの間に空間部が形成され、付属部品の移動を防ぐための位置決めを行うとともに、空間部にて輸送時に加わる被梱包物への衝撃を緩和させる効果を果たしている。
【００１９】
【発明の効果】
上記実施例から明らかなように、付属箱の封かんフラップに形成した開口穴から据付け板の固定部を付属箱の外装面に突出させ、固定部を被梱包物の据付け板固定部に引っ掛けて付属箱を被梱包物に取付け固定したことにより、包装作業時に被梱包物と付属箱の位置決めが行え、一体に扱うことが可能となり、緩衝材および保護袋等を取付ける際も被梱包物と付属箱がずれることが無くなり作業がしやすく包装作業が軽減され生産性が向上する。
【００２０】
さらには被梱包物と付属箱が完全に固定されるため箱を開梱する際の付属箱の取り忘れが防止できるとともに、被梱包物と付属箱が一体化されていることにより持ち運びも容易である。
【００２１】
さらには据付け板側の固定部を被梱包物の背面の空間部分に配置することにより包装全体の容積を増やすこと無く、包装効率の良い包装形態となり物流時の輸送、保管効率も向上することができる。
【００２２】
また、複数の据付け板を、緩衝材を介して付属箱に重ねて収納したことにより、緩衝材にて付属箱内の部品の位置決めが行え輸送振動等による付属部品の移動による破損及び変形を防止することができ保護性の向上が図れるとともに、部品の固定に使用しているテ―プの貼り付けを廃止することが可能で包装作業も簡素化されるとともに包装材料のコスト低減が図れる。
【００２３】
さらには輸送時に誤って落下された際には付属箱内に配置した緩衝材と緩衝材により形成された空間部にて被梱包物に加わる衝撃が緩和され、被梱包物だけでなく付属部品を含めた全体の保護性に優れる。
【図面の簡単な説明】
【図１】本発明の実施の形態１における包装装置の一部切欠き側面図
【図２】同包装装置の要部展開図
【図３】同包装装置の要部斜視図
【図４】本発明の実施の形態２における包装装置の要部分解斜視図
【図５】同包装装置の要部断面図
【図６】従来の包装装置を構成する付属箱の斜視図
【図７】従来の包装装置を示す分解斜視図
【符号の説明】
７  底板
８a〜８d  側面板
９、１０  封かんフラップ
１１a〜１１d  開口穴
１２ａ〜１２ｃ  据付け板
１３ａ、１３ｂ  固定部
１４  空間部
１５ａ、１５ｂ  固定ツメ
１６  緩衝材
２０  付属箱
２１  被梱包物
【図１】
0003711937.tif 000002
【図２】
0003711937.tif 000003
【図３】
0003711937.tif 000004
【図４】
0003711937.tif 000005
【図５】
0003711937.tif 000006
【図６】
0003711937.tif 000007
【図７】
0003711937.tif 000008